(57)【特許請求の範囲】
【請求項１】
固定接点部と可動接点部とから構成する接点部が収納されたスイッチケースと、前記スイッチケースに付勢力に抗して押込み自在に且つ回動自在に装着されて接点部を開閉する押しボタンとを有し、前記押しボタンの押込み操作により前記接点部を開路した後、ロック機構を用いてロックすることにより押込み操作前への復帰が阻止される非常停止スイッチにおいて、
前記ロック機構が、押しボタン側へ配置されるべく、ロックバネを有し、該ロックバネを前記押しボタンに取り付けると共に、前記スイッチケース側に形成した第１係合部に前記ロックバネを係合させ、且つ押込み操作により前記押しボタンが前記固定接点部に閉成されている前記可動接点部に接触して該可動接点部を変位可能に構成し、前記可動接点部が前記固定接点部に接触した状態で、前記押しボタンを押し込むことにより、該押しボタンが前記可動接点部を動作させ、該可動接点部を前記固定接点部から開離させてスイッチオフにすると共に、前記ロックバネは押しボタンと共に押し込まれることにより、前記スイッチケースの第１係合部から離脱して、前記スイッチケース側に形成した第２係合部に係止することで前記押しボタンをロック可能に構成して、前記スイッチオフの状態から前記押しボタンを回動させることにより、前記ロックバネを前記第２係合部から押しボタン回動方向に離脱させることで前記押しボタンを付勢力により押込み操作前へ復帰可能にすると共に、前記可動接点部が前記固定接点部に接触して前記接点部を閉路させることが可能に構成されており、
且つ、前記押しボタンの前記スイッチケースに対する装着構造が、前記スイッチケースに支柱を立設して、該支柱に摺動自在に且つ回動自在に嵌合する嵌合筒を前記押しボタンから垂設し、前記ロックバネは弾性ワイヤで形成して、該弾性ワイヤを前記嵌合筒外面に取り付けると共に、前記支柱に係合突部を形成して、該係合突部の互いに対向する一対の面によりそれぞれ前記ロックバネを係合させる前記スイッチケースの第１および第２係合部を形成し、且つ前記ロックバネを前記嵌合筒に形成した開口部に挿通して前記第１係合部に係合させて構成して、前記押しボタンの押込みで、前記第１係合部に係合しているロックバネは前記係合突部を乗り越えることにより前記第１係合部を離脱して前記第２係合部に係止するように構成しており、
さらに、前記ロックバネが、弾性ワイヤを略Ｕ字状に形成して、該弾性ワイヤの折曲部を前記嵌合筒の外面に固定させると共に、前記弾性ワイヤの少なくとも一方の脚部の先端部を内方に屈曲させて屈曲部を形成し、該屈曲部を前記開口部に挿通して前記係合突部に係合して構成されたことを特徴とする非常停止スイッチ。
【請求項２】
前記スイッチケースに一端部を、且つ前記嵌合筒に他端部を、それぞれ回動不能に取り付けることにより前記スイッチケースと前記押しボタンとの間に押しボタン復帰用の弾性部材を装着したことを特徴とする請求項１に記載の非常停止スイッチ。
【請求項３】
前記弾性部材は、前記スイッチケース内部をシール可能なキャップ状のシール材からなることを特徴とする請求項２記載の非常停止スイッチ。
【請求項４】
前記キャップ状の弾性部材を周方向に伸縮自在な波形状に形成し、且つ軸まわりに捻った状態で一端部を前記スイッチケースに、他端部を前記嵌合筒に、それぞれ取り付けたことを特徴とする請求項２又は３記載の非常停止スイッチ。
【発明の詳細な説明】
【０００１】
【発明の属する技術分野】
本発明は、押しボタンの押込み操作により接点部を開閉させるスイッチ、特に、押しボタンを押し込み切る前に手を離した場合でも押しボタンが元の位置に復帰することを阻止可能に構成し、押しボタンを回転させることにより元の位置に復帰可能な非常停止スイッチに関する。
【０００２】
【従来の技術】
産業用の機械や設備等の負荷を停止させる非常停止スイッチとして、例えば、特開平９−５０７３０号公報に開示されており、図１１に示すように、筒状パネルに取り付けられる筒状体からなるフレーム１００と、このフレーム１００に前端部に配置される押釦１０１と、この押釦１０１の押圧操作によりフレーム１００内を摺動してスイッチ部の接点を開閉操作する押棒１０３とを備えた押釦１０１スイッチにおいて、押釦１０１を押圧操作したときの押棒１０３への圧力伝達がばねを介して行われるようにするとともに、ばね力を受けた押棒１０３の移動がばね力が所定値を超えたときに行われ、かつ移動後、押棒１０３をその移動端位置に係止して押圧操作前位置への復帰を阻止する係合構造を備え、この係合構造は、押棒１０３の移動が、筒状体からなるフレーム１００の内側に形成された凸部１０４を、変形可能な材質からなる押棒１０３の周面に形成した凸部１０５を乗り越えて行われる構造とし、また押釦１０１と押棒１０３との間に両者の軸方向相対移動を許すとともに周方向相対移動を不可能とする係合部を備えるとともに押釦１０１への押圧力消滅後に押釦１０１を押圧操作前の位置へ復帰させるためのコイル状復帰ばねがフレーム１００と同軸にフレーム１００と押釦１０１との間に介装されてコイルの一方端がフレーム１００に、他方端が押釦１０１に、それぞれ固定され、押釦１０１を軸まわりに回動させることにより押釦１０１の押圧操作による移動後の押棒１０３とフレーム１００との係合を解除させて押釦１０１を押圧操作前の位置に復帰させる押釦スイッチが知られている。
【０００３】
【発明が解決しようとする課題】
上記公知例では、押釦１０１とスイッチ部との間に、復帰ばねと凸部１０４、１０５によるロック機構とが上下にそれぞれ独立に設けられているため高さが高く、このため機械や設備等の操作装置が小さいか、または薄い場合には組み込むことが困難であった。
【０００４】
また、防水・防塵は、摺動部にリング状のシールを取り付けることで行っているため、押ボタンを端押し操作した場合には、シールが傾いて摺動部に隙間が発生し、この隙間から水や塵埃が浸入する可能性があった。
【０００５】
本発明は、上記問題点に鑑みてなされたもので、低背・省スペース化が図れ、かつ、端押し操作された場合でも防水・防塵に支障が生じない非常停止スイッチを提供することを目的とする。
【０００６】
【課題を解決するための手段】
上記目的を達成するため、本発明は、固定接点部と可動接点部とから構成する接点部が収納されたスイッチケースと、前記スイッチケースに付勢力に抗して押込み自在に且つ回動自在に装着されて接点部を開閉する押しボタンとを有し、前記押しボタンの押込み操作により前記接点部を開路した後、ロック機構を用いてロックすることにより押込み操作前への復帰が阻止される非常停止スイッチにおいて、前記ロック機構が、押しボタン側へ配置されるべく、ロックバネを有し、該ロックバネを前記押しボタンに取り付けると共に、前記スイッチケース側に形成した第１係合部に前記ロックバネを係合させ、且つ押込み操作により前記押しボタンが前記固定接点部に閉成されている前記可動接点部に接触して該可動接点部を変位可能に構成し、前記可動接点部が前記固定接点部に接触した状態で、前記押しボタンを押し込むことにより、該押しボタンが前記可動接点部を動作させ、該可動接点部を前記固定接点部から開離させてスイッチオフにすると共に、前記ロックバネは押しボタンと共に押し込まれることにより、前記スイッチケースの第１係合部から離脱して、前記スイッチケース側に形成した第２係合部に係止することで前記押しボタンをロック可能に構成して、前記スイッチオフの状態から前記押しボタンを回動させることにより、前記ロックバネを前記第２係合部から押しボタン回動方向に離脱させることで前記押しボタンを付勢力により押込み操作前へ復帰可能にすると共に、前記可動接点部が前記固定接点部に接触して前記接点部を閉路させることが可能に構成されており、且つ、前記押しボタンの前記スイッチケースに対する装着構造が、前記スイッチケースに支柱を立設して、該支柱に摺動自在に且つ回動自在に嵌合する嵌合筒を前記押しボタンから垂設し、前記ロックバネは弾性ワイヤで形成して、該弾性ワイヤを前記嵌合筒外面に取り付けると共に、前記支柱に係合突部を形成して、該係合突部の互いに対向する一対の面によりそれぞれ前記ロックバネを係合させる前記スイッチケースの第１および第２係合部を形成し、且つ前記ロックバネを前記嵌合筒に形成した開口部に挿通して前記第１係合部に係合させて構成して、前記押しボタンの押込みで、前記第１係合部に係合しているロックバネは前記係合突部を乗り越えることにより前記第１係合部を離脱して前記第２係合部に係止するように構成しており、さらに、前記ロックバネが、弾性ワイヤを略Ｕ字状に形成して、該弾性ワイヤの折曲部を前記嵌合筒の外面に固定させると共に、前記弾性ワイヤの少なくとも一方の脚部の先端部を内方に屈曲させて屈曲部を形成し、該屈曲部を前記開口部に挿通して前記係合突部に係合して構成されたことを特徴とする。
【０００７】
従って、本発明は、押しボタンをロックする機構を、従来例のように、押しボタンに対して上下独立に設けることなく、押しボタン側に設けたので、全体の高さを低くすることができ、よって、低背・省スペース化が図れ、負荷の操作装置が小さい場合や薄い場合でも組み込むことが可能になるばかりか、配線の取りまわしも容易になり、操作装置の設計の自由度が増大する。
【０００８】
また、押しボタンの操作で接点部を開閉可能にしたから、上記と相まってさらなる低背化が可能となる。
【００１０】
また、本発明は、押しボタンの嵌合筒にロックバネを取り付けて、このロックバネをスイッチケース側に嵌合させるため、低背・省スペース化が可能になる。
【００１２】
また、本発明は、押しボタンをスイッチケースの支柱に直接嵌合させるため、低背化と省スペース化を可能にすることができる。また、押しボタンのロック機構の一部を、単体の弾性ワイヤで構成して、この弾性ワイヤを押しボタンの嵌合筒に取り付けるため、換言すれば、ロック機構を押しボタン側に設置可能であるため、低背・省スペース化を図ることができる。
【００１６】
また、本発明は、弾性ワイヤを略Ｕ字状に形成するため、嵌合筒への取付けが容易になり、組立性の向上が図れる。
【００１７】
さらにまた、本発明は、前記スイッチケースに一端部を、且つ前記嵌合筒に他端部を、それぞれ回動不能に取り付けることにより前記スイッチケースと前記押しボタンとの間に押しボタン復帰用の弾性部材を装着することや、また、前記弾性部材は前記スイッチケース内部をシール可能なキャップ状のシール材で形成することが考えられる。
【００１８】
従って、押しボタンを端押し操作しても、シール材とスイッチケースとの間に隙間が発生することがなく、よって、防水・防塵をより完全にすることができる。また、弾性部材のみで復帰用の役割とシール用の役割を果たすことができるため、部品点数を低減させることができると共に、組立性の向上を図ることが可能である。
【００１９】
さらにまた、本発明は、前記キャップ状の弾性部材を周方向に伸縮自在な波形状に形成し、且つ軸まわりに捻った状態で一端部を前記スイッチケースに、他端部を前記嵌合筒に、それぞれ取り付けることが考えられる。
【００２０】
従って、本発明は、押しボタンを押込み・回動させても弾性部材が取付け部からずれることがない。また、弾性部材のみで押しボタンに押込み及び回動方向に対する復帰力を与えることができるため、部品点数の低減化が図れる。
【００２３】
【発明の実施の形態】
以下、本発明に係る非常停止スイッチの実施形態を、図面を参照しながら説明する。
【００２４】
図１乃至３において、１はスイッチケース、２０は、スイッチケース１に装着された押しボタンである。
【００２５】
スイッチケース１は、有底周壁の上端部に外向きフランジ２を付設している。スイッチケース１の底面３の中央部には、支柱４が立設されている。この支柱４の上端部における前後両面（図３において、紙面と直交する方向を前後方向と定める。）には、一対の溝部５、５が形成されており、これら両溝部の底面は径外方に凸の湾曲形状に形成されている。
【００２６】
両溝部５、５の底面中央部には係合突部６、６が突設され、かつ、両係合突部６、６の上面は下方に傾斜する傾斜面に形成されている。
【００２７】
支柱４の前後両側には、保持柱９、９が立設されていて、これら両保持柱９、９には、可動片復帰用のコイルバネ１０、１０が上部を保持柱９、９から突出させて伸縮自在に嵌合されている。
【００２８】
両保持柱９、９の左右両側には、スイッチケース１の底面３を貫設させて固定片１１、１１、１１、１１が立設されており、これら固定片の上端部には固定接点部１２、１２、１２、１２が取り付けられている。
【００２９】
また、左右に位置する一対の固定片１１、１１間には、次に述べる可動接点部を案内する案内筒１３が立設されている。この案内筒１３は他の対の固定片１１、１１間にも同様にして設けられている。
【００３０】
２対の固定接点部１２、１２、１２、１２に対応して設けられる２対の可動接点部１４、１４、１４、１４は、コイルバネ１０、１０の上端に固定された可動片１５、１５の両端部に取り付けられている。
【００３１】
可動片１５、１５は下向きU字状に形成され、かつ、コイルバネ１０、１０の上端に固定された中間部から垂下片１６、１６を垂設して、両垂下片を案内筒１３、１３に摺動自在に嵌合させている。
【００３２】
可動片１５、１５に押込み力が作用していない状態では、可動接点部１４、１４、１４、１４は固定接点部１２、１２、１２、１２に接触している。これら固定接点部と可動接点部とは接点部１７を形成する。
【００３３】
スイッチケース１に装着された押しボタン２０は、頂壁２１から嵌合筒２２を垂下して、この嵌合筒２２を支柱４に摺動自在に嵌合させている。嵌合筒２２の前後両部には、図３に明示するように、周方向に長い開口部２３が形成されている。
【００３４】
また、嵌合筒２２の下端部外面は下向き段部２４を介して小外径部に形成されていて、下向き段部２４は、押しボタン２０の押込み時に、可動片１５、１５に接触可能になっている。
【００３５】
嵌合筒２２の外面には、ロックバネ３０が取り付けられている。このロックバネ３０は、略U字状の弾性ワイヤから形成され、かつ、この略U字状ワイヤの折曲部は、嵌合筒２２の左右一方の面に固定されている。
【００３６】
また、略U字状ワイヤの両脚部の先端部は、嵌合筒２２の中心方向に屈曲されてく字状部３１、３１に形成されている。これら両く字状部３１、３１は、開口部２３を挿通して支柱４の係合突部６の上面に係合している。
【００３７】
なお、ロックバネ３０を形成する弾性ワイヤは、金属製でも合成樹脂製でもよく、また、く字状部３１は一方の脚部にのみ形成することも可能である。
【００３８】
スイッチケース１と押しボタン２０との間には、図４にも示すように、押しボタン復帰用の役割を果たすと共にスイッチケース内部をシールする役割を果たす弾性部材４０が装着されている。この弾性部材４０は、キャップ状のシール材で形成するのが好ましい。
【００３９】
弾性部材４０の頂部には筒状の第１取付け部４１が形成されており、この取付け部４１の内周面には複数の回り止め突起４２が形成されている。
【００４０】
弾性部材４０を装着するには、第１取付け部４１を嵌合筒２２の外周面に密着させて、回り止め突起４２を、嵌合筒２２に形成した挿入穴２５に嵌合させると共に、弾性部材４０の下端部を、筒状の第２取付け部４３に形成して、この第２取付け部４３をスイッチケース１の外向きフランジ２に回動不能に密着させている。
【００４１】
弾性部材４０は、図４に示すように、第１及び第２取付け部４１、４３を除いた部分を、周方向に伸縮自在な波形状に形成し、かつ、軸まわりに捻った状態で第２取付け部４３を前記スイッチケース１に、第１取付け部４１を前記嵌合筒２２に、それぞれ取り付けることが好ましい。このような形状にすることにより、押しボタン２０の回動に対し復帰力を与えることができる。
【００４２】
次に作用について説明する。
【００４３】
図３に示す接点部閉路のスイッチオン状態から、押しボタン２０を押し込むと、図５に示すように、ロックバネ３０が係合突部６の上面を滑り始め、ある程度押込むと下向き段部２４が可動片１５に接触して可動接点部１４、１４、１４、１４を押し下げることにより固定接点部１２、１２、１２、１２から開離させる。
【００４４】
両接点部１２、１４が開離してスイッチオフになった時点で、図６  に示すように、ロックバネ３０が係合突部６を乗り越えて、この係合突部６の下面に係止することにより、押しボタン２０をロックして元の位置への復帰を阻止する。
【００４５】
したがって、押しボタン２０を押し切る前に、押しボタン２０から手を離しても押しボタンは元の位置に復帰することがないため、スイッチオンになることがない。
【００４６】
さらに、図６の状態から押しボタン２０を押し込むと、図７に示すように、押しボタン２０の頂壁２１が支柱４の上端面にあたるため、それ以上押し込むことはできなくなる。
【００４７】
一方、弾性部材４０は、押しボタン２０の押込みにより下方に弾性変形して押しボタン２０に復帰力を付与する。
【００４８】
図７のスイッチオフの状態からオンにするには、図８に示すように、押しボタン２０を、弾性部材４０の捻り方向と反対方向に回動させればよく、すると、図９に示すように、ロックバネ３０が係合突部６から押しボタン２０の回動方向に離脱して押しボタン２０のロックが解除される。
【００４９】
これによって押しボタン２０は弾性部材４０の弾力により元の高さまで復帰すると共に、弾性部材４０の捻りによる弾力により押しボタン２０を上記と反対方向に逆転させる。この２方向の付勢力を受けることにより押しボタン２０は元の位置に復帰する。
【００５０】
なお、押しボタン２０は、ロックバネ３０が溝部５の側面に当接するまで回動することができる。
【００５５】
【発明の効果】
本発明は、固定接点部と可動接点部とから構成する接点部が収納されたスイッチケースと、前記スイッチケースに付勢力に抗して押込み自在に且つ回動自在に装着されて接点部を開閉する押しボタンとを有し、前記押しボタンの押込み操作により前記接点部を閉路した後、ロックバネ手段を用いてロックすることにより押込み操作前への復帰が阻止される非常停止スイッチにおいて、前記押しボタンにロックバネを取り付けて、該ロックバネをスイッチケース側に形成した第１係合部に係合させると共に、押込み操作により前記押しボタンが前記固定接点部に閉成されている前記可動接点部に接触して該可動接点部を変位可能に構成し、前記可動接点部が前記固定接点部に接触した状態で、前記押しボタンを押し込むことにより、該押しボタンが前記可動接点部動作させ、該可動接点部を前記固定接点部から開離させてスイッチオフにすると共に、前記ロックバネは押しボタンと共に押し込まれることにより、前記スイッチケースの第１係合部から離脱させて、前記スイッチケース側に形成した第２係合部に係止することで前記押しボタンをロック可能に構成し、前記スイッチオフの状態から前記押しボタンを回動させることにより、前記ロックバネを前記第２係合部から押しボタン回動方向に離脱させることで前記押しボタンを付勢力により押込み操作前へ復帰可能にすると共に、前記可動接点部が前記固定接点部に接触して前記接点部を閉路させることが可能に構成したので、押しボタンをロックする機構を、従来例のように、押しボタンと上下独立に設けることなく、押しボタン側に設けたので、全体の高さを低くすることができ、よって、低背・省スペース化が図れ、負荷の操作装置が小さい場合や薄い場合でも組み込むことが可能になるばかりか、配線の取りまわしも容易になり、操作装置の設計の自由度が増大する。
【００５６】
また、押しボタンで接点部を開閉可能であるから、上記と相まってさらなる低背化が可能となる。
【図面の簡単な説明】
【図１】  本発明に係る非常停止スイッチの斜視図である。
【図２】  同じく、図１の一部を切り欠いた斜視図である。
【図３】  同じく、スイッチオンの状態を示す図１の縦断面図である。
【図４】  同じく、弾性部材の斜視図である。
【図５】  同じく、押しボタンの押込み初期状態を示す断面図である。
【図６】  同じく、スイッチオフの状態を示す断面図である。
【図７】  同じく、押しボタンの押し切り状態を示す断面図である。
【図８】  同じく、押しボタンの回動初期状態を示す断面図である。
【図９】  同じく、押しボタンの復帰状態を示す断面図である。
【図１０】  非常停止スイッチの分解斜視図である。
【図１１】  従来例の縦断面図である。
【符号の説明】
１  スイッチケース
４  支柱
６  係合突部
１０  コイルバネ
１２  固定接点部
１４  可動接点部
２０  押しボタン
２２  嵌合筒
３０  ロックバネ
３１  く字状部
４０  弾性部材
【図１】
0003956766.tif 000002
【図２】
0003956766.tif 000003
【図３】
0003956766.tif 000004
【図４】
0003956766.tif 000005
【図５】
0003956766.tif 000006
【図６】
0003956766.tif 000007
【図７】
0003956766.tif 000008
【図８】
0003956766.tif 000009
【図９】
0003956766.tif 000010
【図１０】
0003956766.tif 000011
【図１１】
0003956766.tif 000012